(57)【要約】【課題】会議拠点のユーザが遠隔地のユーザを確実に目視可能な会議システムおよび会議用端末を提供する。【解決手段】テレビ会議システム１では、遠隔地に設置された遠隔側端末３と、会議拠点に設置された会議用端末５との双方向通信によってテレビ会議が実行される。遠隔側端末３では、遠隔地のユーザを前側、右側、左側から撮影した映像データが、ネットワーク２を介して会議用端末５に送信される。会議用端末５では、遠隔地のユーザを前側、右側、左側から撮影した映像データが、それぞれ正面ディスプレイ６１、右面ディスプレイ６２、左面ディスプレイに三面表示される。【選択図】図１
2012142725.tif 000002
【特許請求の範囲】
【請求項１】
遠隔地のユーザが使用する遠隔側端末と、会議の開催場所に設置される会議用端末とがネットワークを介して接続され、前記遠隔側端末と前記会議用端末との双方向通信によって遠隔会議を実行する会議システムであって、
前記遠隔側端末は、
前記ユーザの正面顔を含む領域を撮影する第一カメラと、
前記ユーザの横顔を含む領域を撮影する第二カメラと、
前記第一カメラで撮影された正面画像と、前記第二カメラで撮影された側面画像とを、前記ネットワークを介して前記会議用端末に送信する画像送信手段とを備え、
前記会議用端末は、
前記会議用端末における第一の側面方向に画像を表示する第一ディスプレイと、
前記会議用端末における前記第一の側面方向と交差する第二の側面方向に画像を表示する第二ディスプレイと、
前記ネットワークを介して前記正面画像および前記側面画像を受信する画像受信手段と、
前記画像受信手段によって受信された前記正面画像を前記第一ディスプレイに表示し、且つ、前記画像受信手段によって受信された前記側面画像を前記第二ディスプレイに表示する表示制御手段と、
前記第一ディスプレイの可視角度と前記第二ディスプレイの可視角度との重複角度が所定値以下となるように、前記第一ディスプレイおよび前記第二ディスプレイを支持するディスプレイ支持部と、
前記第一ディスプレイの向きと同じ方向を撮影する会議撮影カメラと、
前記会議撮影カメラで撮影された前記会議画像を、前記ネットワークを介して前記遠隔側端末に送信する会議画像送信手段とを備え、
前記遠隔側端末は、さらに、
画像を表示する遠隔側ディスプレイと、
前記ネットワークを介して前記会議画像を受信する会議画像受信手段と、
前記会議画像受信手段によって受信された前記会議画像を前記遠隔側ディスプレイに表示する遠隔側表示制御手段と
を備えたことを特徴とする会議システム。
【請求項２】
ネットワークを介して遠隔地のユーザが使用する遠隔側端末に接続され、会議の開催場所に設置される会議用端末であって、
前記会議用端末における第一の側面方向に画像を表示する第一ディスプレイと、
前記会議用端末における前記第一の側面方向と交差する第二の側面方向に画像を表示する第二ディスプレイと、
前記ネットワークを介して、前記ユーザの正面顔を含む領域を撮影した正面画像と、前記ユーザの横顔を含む領域を撮影した側面画像とを受信する画像受信手段と、
前記画像受信手段によって受信された前記正面画像を前記第一ディスプレイに表示し、且つ、前記画像受信手段によって受信された前記側面画像を前記第二ディスプレイに表示する表示制御手段と、
前記第一ディスプレイの可視角度と前記第二ディスプレイの可視角度との重複角度が所定値以下となるように、前記第一ディスプレイおよび前記第二ディスプレイを支持するディスプレイ支持部と、
前記第一ディスプレイの向きと同じ方向を撮影する会議撮影カメラと、
前記会議撮影カメラで撮影された前記会議画像を、前記ネットワークを介して前記遠隔側端末に送信する会議画像送信手段と
を備えたことを特徴とする会議用端末。
【請求項３】
前記第一ディスプレイの可視角度は、前記第二ディスプレイの可視角度よりも小さいことを特徴とする請求項２に記載の会議用端末。
【請求項４】
前記第一ディスプレイの表示面に装着され、前記第一ディスプレイの可視角度を変更する第一可視角度変更部材と、
前記第二ディスプレイの表示面に装着され、前記第二ディスプレイの可視角度を変更する第二可視角度変更部材と
を備えたことを特徴とする請求項２または３に記載の会議用端末。
【請求項５】
前記ディスプレイ支持部は、前記第一ディスプレイおよび前記第二ディスプレイを、一方のディスプレイの表示面が他方のディスプレイの表示面の反対側に隠れるように支持することを特徴とする請求項２に記載の会議用端末。
【請求項６】
前記第一ディスプレイおよび前記第二ディスプレイとの間に設けられ、前記第一ディスプレイの目視可能範囲と、前記第二ディスプレイの目視可能範囲とを区画とする区画部材を備えたことを特徴とする請求項２に記載の会議用端末。
【請求項７】
前記第一ディスプレイおよび前記第二ディスプレイは、縦長形状であることを特徴とする請求項２から６のいずれかに記載の会議用端末。
【請求項８】
前記第二ディスプレイは、前記第一ディスプレイの右側に向けて画像を表示する右面ディスプレイと、前記第一ディスプレイの左側に向けて画像を表示する左面ディスプレイとを含み、
前記表示制御手段は、前記画像受信手段によって受信された前記側面画像のうち、前記ユーザの右横顔を含む領域を撮影した右側面画像を前記右面ディスプレイに表示し、且つ、前記ユーザの左横顔を含む領域を撮影した左側面画像を前記左面ディスプレイに表示することを特徴とする請求項２から７のいずれかに記載の会議用端末。
【発明の詳細な説明】
【技術分野】
【０００１】
本発明は、複数拠点に設けられた端末間で遠隔会議を実行する会議システム、および遠隔会議に使用される会議用端末に関する。
【背景技術】
【０００２】
従来、複数拠点に設けられた端末間でテレビ会議を実行するテレビ会議システムが知られている。このようなテレビ会議システムに使用される端末として、通話相手が注視している方向と、通話相手の表示方向とを一致させることで、会議の臨場感を高めることができるテレビ会議装置が知られている（例えば、特許文献１参照）。
【先行技術文献】
【特許文献】
【０００３】
【特許文献１】特開２００９−６５４９０号公報
【発明の概要】
【発明が解決しようとする課題】
【０００４】
特許文献１に記載のテレビ会議装置では、遠隔地のユーザを表示するディスプレイの方向が、そのユーザの操作に応じて変化する。しかしながら、テレビ会議装置が設置されている会議の開催場所（以下、「会議拠点」という。）では、ディスプレイの周囲を取り囲むようにユーザが着座することがある。この場合、ディスプレイと正対しているユーザは、ディスプレイの表示内容を確実に目視できるため、遠隔地のユーザの表情などを把握できる。一方、ディスプレイと正対していないユーザは、ディスプレイの表示内容を目視困難であるか、その位置関係によっては表示内容を全く目視できないことがある。そうすると、遠隔地のユーザの表情などを把握できないため、テレビ会議の臨場感を失うおそれがあった。
【０００５】
本発明は、上述した課題を解決するためになされたものであり、会議拠点のユーザが遠隔地のユーザを確実に目視可能な会議システムおよび会議用端末を提供することを目的とする。
【課題を解決するための手段】
【０００６】
本発明の第１態様に係る会議システムは、遠隔地のユーザが使用する遠隔側端末と、会議の開催場所に設置される会議用端末とがネットワークを介して接続され、前記遠隔側端末と前記会議用端末との双方向通信によって遠隔会議を実行する会議システムであって、前記遠隔側端末は、前記ユーザの正面顔を含む領域を撮影する第一カメラと、前記ユーザの横顔を含む領域を撮影する第二カメラと、前記第一カメラで撮影された正面画像と、前記第二カメラで撮影された側面画像とを、前記ネットワークを介して前記会議用端末に送信する画像送信手段とを備え、前記会議用端末は、前記会議用端末における第一の側面方向に画像を表示する第一ディスプレイと、前記会議用端末における前記第一の側面方向と交差する第二の側面方向に画像を表示する第二ディスプレイと、前記ネットワークを介して前記正面画像および前記側面画像を受信する画像受信手段と、前記画像受信手段によって受信された前記正面画像を前記第一ディスプレイに表示し、且つ、前記画像受信手段によって受信された前記側面画像を前記第二ディスプレイに表示する表示制御手段と、前記第一ディスプレイの可視角度と前記第二ディスプレイの可視角度との重複角度が所定値以下となるように、前記第一ディスプレイおよび前記第二ディスプレイを支持するディスプレイ支持部と、前記第一ディスプレイの向きと同じ方向を撮影する会議撮影カメラと、前記会議撮影カメラで撮影された前記会議画像を、前記ネットワークを介して前記遠隔側端末に送信する会議画像送信手段とを備え、前記遠隔側端末は、さらに、画像を表示する遠隔側ディスプレイと、前記ネットワークを介して前記会議画像を受信する会議画像受信手段と、前記会議画像受信手段によって受信された前記会議画像を前記遠隔側ディスプレイに表示する遠隔側表示制御手段とを備えている。
【０００７】
上記会議システムによれば、遠隔側端末と会議用端末との双方向通信によって遠隔会議が実行される。遠隔側端末では、ユーザの正面画像および側面画像が、ネットワークを介して会議用端末に送信される。会議用端末では、正面画像が第一ディスプレイに表示され、側面画像が第二ディスプレイに表示される。これにより、会議拠点では、第一ディスプレイと正対していないユーザも、第二ディスプレイに表示される側面画像を目視して、遠隔地のユーザの表情などを把握することができるので、遠隔会議の臨場感を向上させることができる。
【０００８】
また、会議用端末では、第一ディスプレイの向きと同じ方向を撮影した会議画像が、ネットワークを介して遠隔側端末に送信される。遠隔側端末では、会議画像が遠隔側ディスプレイに表示される。遠隔地のユーザが注視している方向と、会議拠点でそのユーザの正面顔が表示される方向とは略一致する。そのため、会議拠点のユーザは、遠隔地のユーザの正面顔が表示されている方向を、遠隔地のユーザが注視している方向として把握できる。ひいては、ユーザ間の意思疎通が円滑となり、遠隔会議の臨場感を高めることができる。
【０００９】
さらに、第一ディスプレイの可視角度と第二ディスプレイの可視角度との重複角度が所定値以下であるため、ユーザは正面画像および側面画像の両方を同時に目視することが困難となる。言い換えると、会議拠点のユーザが明確に目視できるのは、正面画像および側面画像のいずれか一方である。そのため、正面画像を目視している会議拠点のユーザは、遠隔地のユーザに目視されていることを認識できる。一方、側面画像を目視している会議拠点のユーザは、遠隔地のユーザに目視されていないことを認識できる。これにより、ユーザ間の意思疎通がさらに円滑となり、遠隔会議の臨場感をより一層高めることができる。
【００１０】
本発明の第２態様に係る会議用端末は、ネットワークを介して遠隔地のユーザが使用する遠隔側端末に接続され、会議の開催場所に設置される会議用端末であって、前記会議用端末における第一の側面方向に画像を表示する第一ディスプレイと、前記会議用端末における前記第一の側面方向と交差する第二の側面方向に画像を表示する第二ディスプレイと、前記ネットワークを介して、前記ユーザの正面顔を含む領域を撮影した正面画像と、前記ユーザの横顔を含む領域を撮影した側面画像とを受信する画像受信手段と、前記画像受信手段によって受信された前記正面画像を前記第一ディスプレイに表示し、且つ、前記画像受信手段によって受信された前記側面画像を前記第二ディスプレイに表示する表示制御手段と、前記第一ディスプレイの可視角度と前記第二ディスプレイの可視角度との重複角度が所定値以下となるように、前記第一ディスプレイおよび前記第二ディスプレイを支持するディスプレイ支持部と、前記第一ディスプレイの向きと同じ方向を撮影する会議撮影カメラと、前記会議撮影カメラで撮影された前記会議画像を、前記ネットワークを介して前記遠隔側端末に送信する会議画像送信手段とを備えている。
【００１１】
上記会議用端末によれば、遠隔側端末と会議用端末との双方向通信によって遠隔会議が実行される。遠隔側端末では、ユーザの正面画像および側面画像が、ネットワークを介して会議用端末に送信される。会議用端末では、正面画像が第一ディスプレイに表示され、側面画像が第二ディスプレイに表示される。これにより、会議拠点では、第一ディスプレイと正対していないユーザも、第二ディスプレイに表示される側面画像を目視して、遠隔地のユーザの表情などを把握することができるので、遠隔会議の臨場感を向上させることができる。
【００１２】
また、会議用端末では、第一ディスプレイの向きと同じ方向を撮影した会議画像が、ネットワークを介して遠隔側端末に送信される。遠隔側端末では、会議画像が遠隔側ディスプレイに表示される。遠隔地のユーザが注視している方向と、会議拠点でそのユーザの正面顔が表示される方向とは略一致する。そのため、会議拠点のユーザは、遠隔地のユーザの正面顔が表示されている方向を、遠隔地のユーザが注視している方向として把握できる。ひいては、ユーザ間の意思疎通が円滑となり、遠隔会議の臨場感を高めることができる。
【００１３】
さらに、第一ディスプレイの可視角度と第二ディスプレイの可視角度との重複角度が所定値以下であるため、ユーザは正面画像および側面画像の両方を同時に目視することが困難となる。言い換えると、会議拠点のユーザが明確に目視できるのは、正面画像および側面画像のいずれか一方である。そのため、正面画像を目視している会議拠点のユーザは、遠隔地のユーザに目視されていることを認識できる。一方、側面画像を目視している会議拠点のユーザは、遠隔地のユーザに目視されていないことを認識できる。これにより、ユーザ間の意思疎通がさらに円滑となり、遠隔会議の臨場感をより一層高めることができる。
【００１４】
上記会議用端末において、前記第一ディスプレイの可視角度は、前記第二ディスプレイの可視角度よりも小さくてもよい。この場合、正面画像の目視可能範囲が側面画像の目視可能範囲よりも狭いため、遠隔地のユーザによって注視されている会議拠点のユーザのみが正面画像を目視可能にして、遠隔地のユーザによって注視されていると誤認してしまうおそれを抑制できる。
【００１５】
上記会議用端末において、前記第一ディスプレイの表示面に装着され、前記第一ディスプレイの可視角度を変更する第一可視角度変更部材と、前記第二ディスプレイの表示面に装着され、前記第二ディスプレイの可視角度を変更する第二可視角度変更部材とを備えてもよい。この場合、第一ディスプレイおよび第二ディスプレイにそれぞれ可視角度変更部材を装着するだけで、各ディスプレイの可視角度を容易に最適化することができる。ひいては、正面画像および側面画像の各目視可能範囲を容易に最適化することができる。
【００１６】
上記会議用端末において、前記ディスプレイ支持部は、前記第一ディスプレイおよび前記第二ディスプレイを、一方のディスプレイの表示面が他方のディスプレイの表示面の反対側に隠れるように支持してもよい。この場合、第一ディスプレイおよび第二ディスプレイの配置を調整するだけで、正面画像および側面画像の各目視可能範囲を容易に最適化することができる。
【００１７】
上記会議用端末において、前記第一ディスプレイおよび前記第二ディスプレイとの間に設けられ、前記第一ディスプレイの目視可能範囲と、前記第二ディスプレイの目視可能範囲とを区画とする区画部材を備えてもよい。この場合、第一ディスプレイおよび第二ディスプレイとの間に区画部材を設けるだけで、正面画像および側面画像の各目視可能範囲を容易に最適化することができる。
【００１８】
上記会議用端末において、前記第一ディスプレイおよび前記第二ディスプレイは、縦長形状であってもよい。この場合、一般に縦長をなす人間の顔に最適な輪郭形状を有する画面上に、正面画像および側面画像を表示することができる。
【００１９】
上記会議用端末において、前記第二ディスプレイは、前記第一ディスプレイの右側に向けて画像を表示する右面ディスプレイと、前記第一ディスプレイの左側に向けて画像を表示する左面ディスプレイとを含み、前記表示制御手段は、前記画像受信手段によって受信された前記側面画像のうち、前記ユーザの右横顔を含む領域を撮影した右側面画像を前記右面ディスプレイに表示し、且つ、前記ユーザの左横顔を含む領域を撮影した左側面画像を前記左面ディスプレイに表示してもよい。
【００２０】
この場合、遠隔側端末では、ユーザの右側面画像および左側面画像が、ネットワークを介して会議用端末に送信される。会議用端末では、右側面画像が右面ディスプレイに表示され、左側面画像が左面ディスプレイに表示される。つまり、会議用端末では、遠隔地のユーザを三方から撮影した画像が、その撮影方向に対応して三面表示される。このような三面表示によって、会議用端末を遠隔地のユーザとして擬人化することができる。その結果、遠隔地のユーザが会議拠点にあたかも存在しているかのような印象を与えて、遠隔会議での存在感を高めることができる。
【図面の簡単な説明】
【００２１】
【図１】テレビ会議システム１の全体構成を示す図である。
【図２】遠隔側端末３の電気的構成を示すブロック図である。
【図３】第１実施形態に係る会議用端末５の斜め上方からの斜視図である。
【図４】第１実施形態に係る会議用端末５の正面図である。
【図５】図４のＡ−Ａ線矢視方向断面図である。
【図６】図４のＢ−Ｂ線矢視方向断面図である。
【図７】会議用端末５の電気的構成を示すブロック図である。
【図８】遠隔側端末３の遠隔会議処理を示すフローチャートである。
【図９】遠隔側端末３の映像送信割込み処理を示すフローチャートである。
【図１０】遠隔側端末３の音声送信割込み処理を示すフローチャートである。
【図１１】遠隔側端末３の映像受信割込み処理を示すフローチャートである。
【図１２】遠隔側端末３の音声受信割込み処理を示すフローチャートである。
【図１３】会議用端末５の遠隔会議処理を示すフローチャートである。
【図１４】会議用端末５の映像送信割込み処理を示すフローチャートである。
【図１５】会議用端末５の音声送信割込み処理を示すフローチャートである。
【図１６】会議用端末５の映像受信割込み処理を示すフローチャートである。
【図１７】会議用端末５の音声受信割込み処理を示すフローチャートである。
【図１８】第１実施形態に係る会議用端末５の平面図である。
【図１９】第１実施形態に係る会議用端末５の他の平面図である。
【図２０】第２実施形態に係る会議用端末５０１の斜め上方からの斜視図である。
【図２１】第２実施形態に係る会議用端末５０１の平面図である。
【図２２】第３実施形態に係る会議用端末５０２の斜め上方からの斜視図である。
【図２３】第３実施形態に係る会議用端末５０２の平面図である。
【図２４】第３実施形態に係る会議用端末５０３の斜め上方からの斜視図である。
【図２５】第３実施形態に係る会議用端末５０３の平面図である。
【図２６】第４実施形態に係る会議用端末５０４の斜め上方からの斜視図である。
【図２７】第４実施形態に係る会議用端末５０４の平面図である。
【図２８】第４実施形態に係る会議用端末５０５の斜め上方からの斜視図である。
【図２９】第４実施形態に係る会議用端末５０５の平面図である。
【発明を実施するための形態】
【００２２】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００２３】
図１〜図１９を参照して、第１実施形態に係るテレビ会議システム１および会議用端末５について説明する。本実施形態では、会議用端末５の筐体上部７１（図３参照）の向きを、遠隔側端末３を用いた遠隔操作で調整するテレビ会議システム１を例示する。
【００２４】
図１を参照して、テレビ会議システム１の全体構成について説明する。テレビ会議システム１では、ユーザが存在する複数の拠点にそれぞれ設けられた端末装置が、ネットワーク２を介して接続されている。会議が開催されている拠点（以下、会議拠点という。）に設置されている遠隔側端末３と、会議拠点とは異なる拠点（以下、遠隔拠点という。）に設置されている会議用端末５との間で、テレビ会議が実行される場合を例示する。以下では、会議拠点に存在するユーザを、会議側ユーザという。遠隔拠点に存在するユーザを、遠隔側ユーザという。
【００２５】
テレビ会議システム１では、遠隔側端末３と会議用端末５との間でテレビ会議が開始されると、遠隔側端末３および会議用端末５でそれぞれ取得された映像データおよび音声データは、ネットワーク２を介して互いに送受信される。遠隔側端末３では、会議用端末５で取得された映像データおよび音声データ（つまり、会議側ユーザの映像データおよび音声データ）が出力される。会議用端末５では、遠隔側端末３で取得された映像データおよび音声データ（つまり、遠隔側ユーザの映像データおよび音声データ）が出力される。このように、遠隔側端末３および会議用端末５では、それぞれ相手方の拠点に存在するユーザの映像データおよび音声データがリアルタイムに出力されてテレビ会議が進行する。本実施形態では、遠隔側ユーザは、遠隔側端末３を使用して会議用端末５を遠隔操作できるが、詳細は後述する。
【００２６】
図２を参照して、遠隔側端末３の電気的構成について説明する。遠隔側端末３は、汎用のノート型ＰＣであり、ＣＰＵ３０、ＲＯＭ３１、ＲＡＭ３２、ＨＤＤ３３、ビデオコントローラ３４、オーディオコントローラ３５、通信装置３６、Ｉ／Ｏインタフェイス４０、キーボード４１、マウス４２、ディスプレイ４３、マイク４４、スピーカ４５を備える。さらに、遠隔側端末３は、複数のカメラ（前側カメラ４６、右側カメラ４７、左側カメラ４８）を備える。
【００２７】
ＲＯＭ３１、ＲＡＭ３２、およびＩ／Ｏインタフェイス４０は、ＣＰＵ３０に接続されている。ビデオコントローラ３４、オーディオコントローラ３５、キーボード４１、マウス４２、および複数のカメラは、Ｉ／Ｏインタフェイス４０にそれぞれ接続されている。ディスプレイ４３は、ビデオコントローラ３４に接続されている。マイク４４およびスピーカ４５は、オーディオコントローラ３５に接続されている。
【００２８】
通信装置３６は、ネットワーク２を介してデータ送受信を行うコントローラである。本実施形態では、通信装置３６が、テレビ会議の実行時に、会議用端末５との間で音声データおよび映像データの送受信を行う。後述する遠隔操作コマンドも、通信装置３６によって会議用端末５へ送信される。なお、ＲＡＭ３２は、遠隔側端末３で取得される映像データ・音声データのフレームバッファとして機能する。
【００２９】
前側カメラ４６は、遠隔側ユーザの前側に配置されて、遠隔側ユーザの正面顔を含む範囲を撮影するカメラである。右側カメラ４７は、遠隔側ユーザの右側に配置されて、遠隔側ユーザの右横顔を含む範囲を撮影するカメラである。左側カメラ４８は、遠隔側ユーザの左側に配置されて、遠隔側ユーザの左横顔を含む範囲を撮影するカメラである。本実施形態の前側カメラ４６、右側カメラ４７、および左側カメラ４８は、撮影した映像データをネットワーク２へリアルタイムに出力可能な小型・軽量の汎用カメラ（いわゆる、ＷＥＢカメラ）である。
【００３０】
ＨＤＤ３３は、大容量のハードディスクドライブであり、テレビ会議を実行するための各種データ（例えば、遠隔側端末３で取得された映像データ・音声データ、会議用端末５から受信した映像データ・音声データ）や割込みプログラムなどが記憶されている。後述の遠隔会議処理（図８参照）を実行するための会議処理プログラムも、ＨＤＤ３３に記憶されている。
【００３１】
図３〜図６を参照して、会議用端末５の物理的構造について説明する。以下の説明では、図３の右下方向、左上方向、左下方向、右上方向を、会議用端末５（詳細には、後述する筐体下部７３）の前側、後側、左側、右側とする。会議用端末５は、テレビ会議を実行するのに必要なデバイスが設けられた筐体７０を有する。筐体７０は、筐体上部７１、連結部７２、筐体下部７３からなる。
【００３２】
筐体上部７１は、平面視で正方形状をなし、且つ上下方向を長手方向とする箱状体（つまり、縦長直方体状）である。筐体上部７１の前面、右面、および左面には、ディスプレイが嵌め込まれるフレーム体である前面枠７４、右面枠７５、および左面枠７６がそれぞれ設けられている。本実施形態では、前面枠７４と右面枠７５とのなす筐体角度θ１、および前面枠７４と左面枠７６とのなす筐体角度θ２は、いずれも９０°である。
【００３３】
前面枠７４には、縦長長方形状の正面ディスプレイ６１が固定されている。右面枠７５には、正面ディスプレイ６１と略同形の右面ディスプレイ６２が固定されている。左面枠７６には、正面ディスプレイ６１と略同形の左面ディスプレイ６３が固定されている。つまり、筐体上部７１は、その前面および左右両面の三面にディスプレイを備えている。なお、前面枠７４には、正面ディスプレイ６１と重畳して、タッチパネル５７が固定されている。したがって、正面ディスプレイ６１に表示されるメニューやアイコンなどを指で触れることで、会議用端末５の操作を行うことができる。
【００３４】
各ディスプレイ６１、６２、６３の表面には、公知の視野角調整フィルタ２１、２２、２３がそれぞれ貼り付けられている。よって、各ディスプレイ６１、６２、６３の視野角は、それぞれ視野角調整フィルタ２１、２２、２３によって所定角度に調整されているが、詳細は後述する。なお、以下の説明では、各ディスプレイ６１、６２、６３の視野角のうちで、各々の表示画像が物理的に阻害されることなく視覚的に正確に認識される範囲を示す角度を、それぞれ可視角度θ１１、θ１２、θ１３という。
【００３５】
筐体上部７１の後面、上面、下面には、縦長板状の後面パネル７７、上面パネル７８、下面パネル７９が設けられている。これらのパネルは、先述の各種ディスプレイが固定された枠体とともに、筐体上部７１の内部空間を形成する。ただし、下面パネル７９の平面視中央のやや後ろ側から前方に向けて、半円状の開口部７９Ａが形成されている。そのため、筐体上部７１の内部空間は、開口部７９Ａを介して下方に連通している。
【００３６】
前面枠７４の上枠部分における略中央位置には、カメラ６７が設けられている。カメラ６７を正面ディスプレイ６１と同一面に設けたことで、正面ディスプレイ６１が画像表示する方向と同一方向（つまり、筐体上部７１の前方）が、カメラ６７によって撮影される。右面枠７５の上枠部分における略中央位置には、右側マイク６４が設けられている。左面枠７６の上枠部分における略中央位置には、左側マイク６５が設けられている。右側マイク６４および左側マイク６５は、筐体上部７１の両側面に設けられた一対のバイノーラルマイクである。これにより、会議用端末５の周辺で発生した音声は、筐体上部７１の両側面からバイノーラル方式で集音される。
【００３７】
筐体下部７３は、平面視で筐体上部７１よりも大きな正方形状をなし、且つ上下方向を短手方向とする箱状体である。筐体下部７３の内部には、筐体下部７３の前面側から音声を出力可能なスピーカ６６が設けられている。筐体下部７３の上面における中央位置には、平面視で正方形状の凹部７３Ａが形成されている。
【００３８】
連結部７２は、平面視で正方形状をなし、且つ上下方向を長手方向とする棒状体である。連結部７２の下端部には、平面視で連結部７２よりも大きい正方形状の板部である鍔部７２Ａが設けられている。鍔部７２Ａは、平面視で同形をなす凹部７３Ａに嵌め込まれた状態で固定されている。一方、連結部７２の上側部分は、開口部７９Ａを介して筐体上部７１の内部空間に進入している。
【００３９】
筐体上部７１の内部には、駆動機構１００および一対の連結金具６８が設けられている。駆動機構１００は、筐体上部７１と連結部７２とを連結して、筐体上部７１の傾きを水平方向および垂直方向に変化させるための機構である。一対の連結金具６８は、正面ディスプレイ６１およびタッチパネル５７の背面側に設けられ、且つ前面枠７４の上枠部分から下枠部分に亘って左右に並んで延びる板状金具である。各連結金具６８の上端部および下端部は、それぞれ前面枠７４の上枠部分および下枠部分に固定されている。
【００４０】
駆動機構１００は、筐体上部７１の水平方向の傾きを調整するパンモータ８０と、筐体上部７１の垂直方向の傾きを調整するチルトモータ９０と、筐体上部７１に連結される一対の腕部９２を備える。パンモータ８０は、連結部７２の上端部に固定されており、上方に延出する垂直な軸８１を有する。チルトモータ９０は、パンモータ８０の上側に固定されており、左右両側に延出する水平な軸９１を有する。水平な軸９１は、一対の腕部９２の後端側にそれぞれ接続されている。一対の腕部９２は、軸９１と直交する方向に延びる板状金具であり、各々の先端部はそれぞれ対応する連結金具６８に固定されている。なお、駆動機構１００は、筐体上部７１に複数のディスプレイ等の各種部材が取り付けられた状態で、筐体上部７１の重心位置を支持するように連結金具６８に固定されている。
【００４１】
上記の構造により、パンモータ８０が軸８１を回動させるのに伴って、チルトモータ９０も垂直軸周りに回動する。チルトモータ９０から延びる一対の腕部９２に連結された筐体上部７１も、垂直軸周りに回動する。つまり、パンモータ８０の駆動によって、筐体上部７１が垂直方向に傾斜する。また、チルトモータ９０が軸９１を回動させるのに伴って、一対の腕部９２も水平軸周りに回動する。チルトモータ９０から延びる一対の腕部９２に連結された筐体上部７１も、水平軸周りに回動する。つまり、チルトモータ９０の駆動によって、筐体上部７１が水平方向に傾斜する。
【００４２】
図７を参照して、会議用端末５の電気的構成について説明する。会議用端末５は、ＣＰＵ５０、ＲＯＭ５１、ＲＡＭ５２、ＨＤＤ５３、ビデオコントローラ５４、オーディオコントローラ５５、通信装置５６、Ｉ／Ｏインタフェイス６０を備える。さらに、会議用端末５は、先述のタッチパネル５７、正面ディスプレイ６１、右面ディスプレイ６２、左面ディスプレイ６３、右側マイク６４、左側マイク６５、スピーカ６６、カメラ６７、パンモータ８０、チルトモータ９０を備えている。
【００４３】
ＲＯＭ５１、ＲＡＭ５２、およびＩ／Ｏインタフェイス６０は、ＣＰＵ５０に接続されている。ビデオコントローラ５４、オーディオコントローラ５５、カメラ６７、タッチパネル５７、パンモータ８０、およびチルトモータ９０は、Ｉ／Ｏインタフェイス６０にそれぞれ接続されている。正面ディスプレイ６１、右面ディスプレイ６２、左面ディスプレイ６３（以下、各ディスプレイ６１〜６３と総称する。）は、ビデオコントローラ５４に接続されている。右側マイク６４、左側マイク６５、スピーカ６６は、オーディオコントローラ５５に接続されている。
【００４４】
通信装置５６は、ネットワーク２を介してデータ送受信を行うコントローラである。本実施形態では、通信装置５６が、テレビ会議の実行時に、遠隔側端末３との間で音声データおよび映像データの送受信を行う。後述する遠隔操作コマンドも、通信装置５６によって遠隔側端末３から受信される。なお、ＲＡＭ５２は、会議用端末５で取得される映像データ・音声データのフレームバッファとして機能する。
【００４５】
ＨＤＤ５３は、大容量のハードディスクドライブであり、テレビ会議を実行するための各種データ（例えば、会議用端末５で取得された映像データ・音声データ、遠隔側端末３から受信した映像データ・音声データ）や割込みプログラムなどが記憶されている。後述の遠隔会議処理（図１３参照）を実行するための会議処理プログラムも、ＨＤＤ５３に記憶されている。
【００４６】
図８〜図１７を参照して、テレビ会議システム１で実行されるテレビ会議に関する処理について説明する。テレビ会議の実行時には、遠隔側端末３および会議用端末５において、以下に説明する処理がそれぞれ実行される。
【００４７】
図８〜図１２を参照して、遠隔側端末３の遠隔会議処理について説明する。本処理は、遠隔側端末３でテレビ会議の開始を指示する入力操作が受け付けられると、ＨＤＤ３３に記憶されている会議処理プログラムに基づいて、ＣＰＵ３０によって実行される。
【００４８】
図８に示すように、遠隔側端末３の遠隔会議処理では、まず会議参加要求が会議サーバ（図示外）に送信される（Ｓ１）。会議参加要求は、テレビ会議システム１で実行されるテレビ会議への参加を要求するコマンドである。会議サーバは、ネットワーク２を介して会議参加要求を受信した場合、会議参加要求に含まれる認証情報に基づいてユーザ認証を行う。ユーザ認証が成功した場合、参加許可を要求元の端末装置に返信する。ユーザ認証が失敗した場合、参加拒否を要求元の端末装置に返信する。
【００４９】
ステップＳ１の実行後、参加許可を取得したか否かが判断される（Ｓ３）。会議サーバから参加拒否を受信した場合、参加許可を取得していないと判断される（Ｓ３：ＮＯ）。この場合、テレビ会議が開始されることなく、遠隔会議処理（図８）が終了される。会議サーバから参加許可を受信した場合、参加許可を取得したと判断される（Ｓ３：ＹＥＳ）。この場合、ＨＤＤ３３から割込みプログラムが起動される（Ｓ５）。
【００５０】
ステップＳ５で起動された割込みプログラムに基づいて、テレビ会議中の各種データ処理（具体的には、映像データおよび音声データの送受信）が行われる。詳細には、ＣＰＵ３０は割込みプログラムに基づいて、映像送信割込み処理（図９）と、音声送信割込み処理（図１０）と、映像受信割込み処理（図１１）と、音声受信割込み処理（図１２）とを実行するが、詳細は後述する。
【００５１】
ステップＳ５の実行後、キー入力ありか否かが判断される（Ｓ７）。例えば、キーボード４１またはマウス４２の入力操作を受け付けた場合は、キー入力ありと判断される（Ｓ７：ＹＥＳ）。この場合、ステップＳ７で検出されたキー入力が、会議用端末５の遠隔操作であるか否かが判断される（Ｓ９）。ステップＳ９では、ステップＳ７で検出されたキー入力があらかじめ定められている操作内容と一致する場合、会議用端末５の遠隔操作であると判断される（Ｓ９：ＹＥＳ）。
【００５２】
この場合、ステップＳ７で検出されたキー入力に対応して、会議用端末５に所定の動作内容を実行させる遠隔操作コマンドが生成される（Ｓ１１）。例えば、会議用端末５が備えるカメラ６７の撮影方向を下方に傾けたい場合に、遠隔側ユーザはキーボード４１の「↑」キーを押すことで、「上向き」を指示するチルト調整コマンドが生成される。カメラ６７の撮影方向を右方向に傾けたい場合に、遠隔側ユーザはキーボード４１の「→」キーを押すことで、「右向き」を指示するパン調整コマンドが生成される。カメラ６７のズーム倍率を大きくしたい場合に、遠隔側ユーザはキーボード４１の「＋」キーを押すことで、「拡大」を指示するズーム調整コマンドが生成される。
【００５３】
ステップＳ１１で生成された遠隔操作コマンド（パン調整コマンド、チルト調整コマンド、ズーム調整コマンドのいずれか）は、パケット化されて会議用端末５へ送信される（Ｓ１３）。以下では、ステップＳ１３で送信されたパケットを、遠隔操作パケットという。ステップＳ１３の実行後、テレビ会議が終了したか否かが判断される（Ｓ１５）。例えば、遠隔側端末３でテレビ会議の終了を指示する入力操作が受け付けられたり、会議サーバからテレビ会議の終了を指示するコマンドを受信したりした場合、テレビ会議が終了したと判断される（Ｓ１５：ＹＥＳ）。この場合、ステップＳ５で起動された割込みプログラムが終了され（Ｓ１７）、遠隔会議処理（図８）が終了される。つまり、会議用端末５に対する音声データおよび映像データの送受信が中断されて、テレビ会議が終了する。
【００５４】
一方、キー入力がない場合（Ｓ７：ＮＯ）、会議用端末５の遠隔操作でない場合（Ｓ９：ＮＯ）、およびテレビ会議が終了していない場合（Ｓ１５：ＮＯ）、処理はステップＳ７に戻る。このように、本実施形態では、割込みプログラムの起動から終了までの間（つまり、テレビ会議の実行中）、ステップＳ７〜Ｓ１５が所定間隔（例えば、数ミリ秒周期）で繰り返し実行される。よって、例えばキーボード４１の「↑」キーが押し続けられている間は、「上向き」を指示するチルト調整コマンドの遠隔操作パケットが連続して出力される。
【００５５】
図９に示すように、遠隔側端末３の映像送信割込み処理では、前側カメラ４６から１フレームの映像データが取り込まれる（Ｓ２１）。右側カメラ４７から１フレームの映像データが取り込まれる（Ｓ２３）。左側カメラ４８から１フレームの映像データが取り込まれる（Ｓ２５）。ステップＳ２１〜Ｓ２５で取りこまれた各映像データに、撮影元カメラを示す識別タグが付与される（Ｓ２７）。識別タグが付与された映像データは、公知のデータ圧縮が実行されたのち、データ転送用にパケット化される（Ｓ２９）。パケット化された映像データ（つまり、映像パケット）は、会議用端末５へ送信される（Ｓ３１）。ステップＳ３１の実行後、処理はステップＳ２１に戻る。
【００５６】
これにより、ステップＳ５で起動された割込みプログラムが終了されるまで、各カメラから１フレームの映像データが取り込まれるごとに、映像パケットが会議用端末５へ送信される。具体的には、テレビ会議の実行中は、遠隔拠点を映し出した映像データを含む映像パケットが会議用端末５へ送信される。この映像データには、前側カメラ４６で撮影された遠隔側ユーザの正面顔画像と、右側カメラ４７で撮影された遠隔側ユーザの右顔画像と、左側カメラ４８で撮影された遠隔側ユーザの左顔画像とが含まれる。
【００５７】
図１０に示すように、遠隔側端末３の音声送信割込み処理では、マイク４４から１サンプリング時間（例えば、０．１秒）の音声データが取り込まれる（Ｓ４１）。取り込まれた音声データは、公知のデータ圧縮が実行されたのち、データ転送用にパケット化される（Ｓ４３）。パケット化された音声データ（つまり、音声パケット）は、会議用端末５へ送信される（Ｓ４５）。ステップＳ４５の実行後、処理はステップＳ４１に戻る。
【００５８】
これにより、ステップＳ５で起動された割込みプログラムが終了されるまで、マイク４４から１サンプリング時間の音声データが取り込まれるごとに、音声パケットが会議用端末５へ送信される。具体的には、テレビ会議の実行中は、遠隔拠点で集音された音声データを含む音声パケットが会議用端末５へ送信される。この音声データには、マイク４４で集音された遠隔側ユーザの声等が含まれる。
【００５９】
図１１に示すように、遠隔側端末３の映像受信割込み処理では、会議用端末５から映像パケットが受信される（Ｓ６１）。受信されたパケットから圧縮済みの映像データが取り出され、この映像データについて公知の伸張処理が実行される（Ｓ６３）。伸張された映像データが、ビデオコントローラ３４に転送される（Ｓ６５）。ステップＳ６５の実行後、処理はステップＳ６１に戻る。
【００６０】
これにより、ステップＳ５で起動された割込みプログラムが終了されるまで、会議用端末５から映像パケットが受信されるごとに、ビデオコントローラ３４に映像データが転送される。ビデオコントローラ３４は、転送された映像データをディスプレイ４３に表示する。この映像データは、後述するようにカメラ６７が会議拠点を映し出したものである。よって、遠隔側ユーザは、ディスプレイ４３に映し出される映像によって、会議側ユーザの顔等を見ることができる。
【００６１】
図１２に示すように、遠隔側端末３の音声受信割込み処理では、会議用端末５から音声パケットが受信される（Ｓ８１）。受信されたパケットから圧縮済みの音声データが取り出され、この音声データについて公知の伸張処理が実行される（Ｓ８３）。伸張された音声データに付与されている識別タグが特定されたのち（Ｓ８５）、この音声データがオーディオコントローラ３５に転送される（Ｓ８７）。ただし、オーディオコントローラ３５は、音声データに付与されている識別タグに基づいて、音声データの出力デバイスを調整する。例えば、識別タグ「左側マイク」が付与されている音声データは、スピーカ４５の左側出力部から出力させる。識別タグ「右側マイク」が付与されている音声データは、スピーカ４５の右側出力部から出力させる。ステップＳ８７の実行後、処理はステップＳ８１に戻る。
【００６２】
これにより、ステップＳ５で起動された割込みプログラムが終了されるまで、会議用端末５から音声パケットが受信されるごとに、オーディオコントローラ３５に音声データが転送される。オーディオコントローラ３５は、転送された音声データをスピーカ４５から出力する。この音声データは、後述するように右側マイク６４および左側マイク６５が会議拠点で集音したものである。よって、遠隔側ユーザは、スピーカ４５から出力される音声によって、会議側ユーザの声等を聞くことができる。さらに、本実施形態では、右側マイク６４および左側マイク６５はバイノーラル方式で会議拠点を集音する。したがって、遠隔側ユーザは、バイノーラル対応のヘッドフォンを利用することで、会議側ユーザの声等をより高い臨場感で聞くことができる。
【００６３】
図１３〜図１７を参照して、会議用端末５の遠隔会議処理について説明する。本処理は、会議用端末５でテレビ会議の開始を指示する入力操作が受け付けられると、ＨＤＤ５３に記憶されている会議処理プログラムに基づいて、ＣＰＵ５０によって実行される。
【００６４】
図１３に示すように、会議用端末５の遠隔会議処理では、まずパンモータ８０およびチルトモータ９０の原点検出処理が実行される（Ｓ１０１）。パンモータ８０の原点検出処理は、筐体上部７１が水平方向の傾きが初期状態となるまで回動される。具体的には、各ディスプレイ６１〜６３がそれぞれ会議用端末５（詳細には、筐体下部７３）の前側、右側、左側を向くまで、筐体上部７１が垂直軸周りに回動される。これにより、カメラ６７の撮影方向は、会議用端末５（詳細には、筐体下部７３）の前方と一致する。
【００６５】
一方、チルトモータ９０の原点検出処理は、筐体上部７１が垂直方向の傾きが初期状態となるまで回動される。具体的には、各ディスプレイ６１〜６３が垂直となるまで（言い換えると、カメラ６７の撮影方向が水平となるまで）、筐体上部７１が水平軸周りに回転される。ステップＳ１０１で初期状態に設定された筐体上部７１は、会議用端末５（詳細には、筐体下部７３）と前後方向、左右方向、上下方向がいずれも一致している。これにより、テレビ会議の開始時に会議用端末５の向きを初期化する手間を省略できる。
【００６６】
ステップＳ１０１の実行後、ＨＤＤ５３から割込みプログラムが起動される（Ｓ１０３）。ステップＳ１０３で起動された割込みプログラムに基づいて、テレビ会議中の各種データ処理（具体的には、映像データおよび音声データの送受信）が行われる。詳細には、ＣＰＵ５０は割込みプログラムに基づいて、映像送信割込み処理（図１４）と、音声送信割込み処理（図１５）と、映像受信割込み処理（図１６）と、音声受信割込み処理（図１７）とを実行するが、詳細は後述する。
【００６７】
ステップＳ１０３の実行後、遠隔操作パケットを受信したか否かが判断される（Ｓ１０５）。遠隔操作パケットが受信されている場合（Ｓ１０５：ＹＥＳ）、遠隔操作パケットに含まれる遠隔操作コマンドがチルト調整コマンドであるか否かが判断される（Ｓ１０７）。遠隔操作コマンドがチルト調整コマンドである場合（Ｓ１０７：ＹＥＳ）、このチルト調整コマンドに基づいて生成されたチルト制御信号が、チルトモータ９０へ出力される（Ｓ１０９）。チルト制御信号は、チルト調整コマンドが指示する回転角度に応じて、チルトモータ９０を回転駆動する信号である。
【００６８】
チルトモータ９０は、チルト制御信号に応じて筐体上部７１を水平軸周りに回転させることで、筐体上部７１を下向きまたは上向きに調整する。例えば、先述の「下向き」を指示するチルト調整コマンドが会議用端末５に送信された場合、チルトモータ９０が筐体上部７１を右側面視で時計回り（図５では右回り）に回転させる。その結果、カメラ６７の撮影方向もより下向きに傾斜するため、遠隔側端末３のディスプレイ４３に映し出される撮影範囲も下側に移動する。したがって、会議側ユーザが筐体上部７１の垂直方向の傾きを調整しなくても、遠隔側ユーザがカメラ６７のチルト調整を遠隔操作で行うことができる。
【００６９】
遠隔操作コマンドがチルト調整コマンドでない場合（Ｓ１０７：ＮＯ）、遠隔操作コマンドがパン調整コマンドであるか否かが判断される（Ｓ１１１）。遠隔操作コマンドがパン調整コマンドである場合（Ｓ１１１：ＹＥＳ）、このパン調整コマンドに基づいて生成されたパン制御信号が、パンモータ８０へ出力される（Ｓ１１３）。パン制御信号は、パン調整コマンドが指示する回転角度に応じて、パンモータ８０を回転駆動する信号である。
【００７０】
パンモータ８０は、パン制御信号に応じて筐体上部７１を垂直軸周りに回転させることで、筐体上部７１を右向きまたは左向きに調整する。例えば、先述の「右向き」を指示するパン調整コマンドが会議用端末５に送信された場合、パンモータ８０が筐体上部７１を平面視で時計回り（図６では右回り）に回転させる。その結果、カメラ６７の撮影方向もより右向きに傾斜するため、遠隔側端末３のディスプレイ４３に映し出される撮影範囲も右側に移動する。したがって、会議側ユーザが筐体上部７１の水平方向の傾きを調整しなくても、遠隔側ユーザがカメラ６７のパン調整を遠隔操作で行うことができる。
【００７１】
遠隔操作コマンドがパン調整コマンドでない場合（Ｓ１１１：ＮＯ）、遠隔操作コマンドがズーム調整コマンドであるか否かが判断される（Ｓ１１５）。遠隔操作コマンドがズーム調整コマンドである場合（Ｓ１１５：ＹＥＳ）、このズーム調整コマンドに基づいて生成されたズーム制御信号が、カメラ６７へ出力される（Ｓ１１７）。ズーム制御信号は、ズーム調整コマンドが指示するズーム倍率の拡大率または縮小率に応じて、カメラ６７のズーム倍率を調整するモータ（図示外）を駆動する信号である。
【００７２】
カメラ６７は、会議用端末５から受信したズーム制御信号に応じてズーム倍率を変更する。例えば、先述の「拡大」を指示するズーム調整コマンドが会議用端末５に送信された場合、カメラ６７がズーム倍率を大きくするため、遠隔側端末３のディスプレイ４３に映し出される撮影範囲も狭くなる。これにより、ディスプレイ４３に表示されている映像の拡大・縮小が行われる。したがって、会議側ユーザがカメラ６７のズーム倍率を調整しなくても、遠隔側ユーザがカメラ６７のズーム調整を遠隔操作で行うことができる。
【００７３】
遠隔操作パケットが受信されていない場合（Ｓ１０５：ＮＯ）、または遠隔操作コマンドがズーム調整コマンドでない場合（Ｓ１１５：ＮＯ）、先述のステップＳ１７と同様に、テレビ会議が終了したか否かが判断される（Ｓ１１９）。テレビ会議が終了した場合（Ｓ１１９：ＹＥＳ）。この場合、ステップＳ１０３で起動された割込みプログラムが終了され（Ｓ１２２）、遠隔会議処理（図１３）が終了される。つまり、遠隔側端末３に対する音声データおよび映像データの送受信が中断されて、テレビ会議が終了する。
【００７４】
一方、ステップＳ１０９、Ｓ１１３、Ｓ１１７のいずれかの実行後、またはテレビ会議が終了していない場合（Ｓ１１９：ＮＯ）、処理はステップＳ１０５に戻る。このように、本実施形態では、メイン処理（図１３）の実行中は、ステップＳ１０５〜Ｓ１１９が所定間隔（例えば、数ミリ秒周期）で繰り返し実行される。よって、テレビ会議の実行中は、遠隔側端末３から受信した遠隔操作コマンドに基づいて、会議用端末５の遠隔操作が実行される。
【００７５】
図１４に示すように、会議用端末５の映像送信割込み処理では、カメラ６７から１フレームの映像データが取り込まれる（Ｓ１３１）。取り込まれた映像データは、公知のデータ圧縮が実行されたのち、データ転送用にパケット化される（Ｓ１３３）。パケット化された映像データ（つまり、映像パケット）は、遠隔側端末３へ送信される（Ｓ１３５）。ステップＳ１３５の実行後、処理はステップＳ１３１に戻る。
【００７６】
これにより、ステップＳ１０３で起動された割込みプログラムが終了されるまで、カメラ６７から１フレームの映像データが取り込まれるごとに、映像パケットが遠隔側端末３へ送信される。具体的には、テレビ会議の実行中は、会議拠点の様子を映し出した映像データを含む映像パケットが遠隔側端末３へ送信される。この映像データには、カメラ６７で撮影された会議側ユーザの顔等が含まれる。
【００７７】
図１５に示すように、会議用端末５の音声送信割込み処理では、右側マイク６４から１サンプリング時間（例えば、０．１秒）の音声データが取り込まれる（Ｓ１５１）。左側マイク６５から１サンプリング時間（例えば、０．１秒）の音声データが取り込まれる（Ｓ１５３）。ステップＳ１５１、Ｓ１５３で取りこまれた各音声データに、集音元カメラを示す識別タグが付与される（Ｓ１５５）。識別タグが付与された音声データは、公知のデータ圧縮が実行されたのち、データ転送用にパケット化される（Ｓ１５７）。パケット化された音声データ（つまり、音声パケット）は、遠隔側端末３へ送信される（Ｓ１５９）。ステップＳ１５９の実行後、処理はステップＳ１５１に戻る。
【００７８】
これにより、ステップＳ１０３で起動された割込みプログラムが終了されるまで、各マイクから１サンプリング時間の音声データが取り込まれるごとに、音声パケットが遠隔側端末３へ送信される。具体的には、テレビ会議の実行中は、会議拠点で集音された音声データを含む音声パケットが遠隔側端末３へ送信される。この音声データには、右側マイク６４で集音された会議側ユーザの声等と、左側マイク６５で集音された会議側ユーザの声等とが含まれる。
【００７９】
図１６に示すように、会議用端末５の映像受信割込み処理では、遠隔側端末３から映像パケットが受信される（Ｓ１７１）。受信されたパケットから圧縮済みの映像データが取り出され、この映像データについて公知の伸張処理が実行される（Ｓ１７３）。伸張された映像データに付与されている識別タグが特定されたのち（Ｓ１７５）、この映像データがビデオコントローラ５４に転送される（Ｓ１７７）。
【００８０】
ただし、ビデオコントローラ５４は、映像データに付与されている識別タグに基づいて、映像データの出力デバイスを調整する。例えば、識別タグ「前側カメラ」が付与されている映像データは、正面ディスプレイ６１に表示させる。識別タグ「右側カメラ」が付与されている映像データは、右面ディスプレイ６２に表示させる。識別タグ「左側カメラ」が付与されている映像データは、左面ディスプレイ６３に表示させる。ステップＳ１７７の実行後、処理はステップＳ１７１に戻る。
【００８１】
これにより、ステップＳ１０３で起動された割込みプログラムが終了されるまで、遠隔側端末３から映像パケットが受信されるごとに、ビデオコントローラ５４に映像データが転送される。ビデオコントローラ５４は、転送された映像データを識別タグに応じて、３つのディスプレイに選択的に表示する。よって、会議側ユーザは、各ディスプレイに映し出される映像によって、遠隔側ユーザの顔等を見ることができる。
【００８２】
詳細には、正面ディスプレイ６１に表示される映像データは、前側カメラ４６で撮影されたものである。右面ディスプレイ６２に表示される映像データは、右側カメラ４７で撮影されたものである。左面ディスプレイ６３に表示される映像データは、左側カメラ４８で撮影されたものである。よって、会議側ユーザは、各ディスプレイ６１〜６３に映し出される画像によって、それぞれ遠隔側ユーザの正面顔、右横顔、左横顔を認識することができる。
【００８３】
図１７に示すように、会議用端末５の音声受信割込み処理では、遠隔側端末３から音声パケットが受信される（Ｓ１９１）。受信されたパケットから圧縮済みの音声データが取り出され、この音声データについて公知の伸張処理が実行される（Ｓ１９３）。伸張された音声データが、オーディオコントローラ５５に転送される（Ｓ１９５）。ステップＳ１９５の実行後、処理はステップＳ１９１に戻る。
【００８４】
これにより、ステップＳ１０３で起動された割込みプログラムが終了されるまで、遠隔側端末３から音声パケットが受信されるごとに、オーディオコントローラ５５に音声データが転送される。オーディオコントローラ５５は、転送された音声データをスピーカ６６に出力する。この音声データは、マイク４４が遠隔拠点で集音したものである。よって、会議側ユーザは、スピーカ６６から出力される音声によって、遠隔側ユーザの声等を聞くことができる。
【００８５】
図１８および図１９を参照して、可視角度θ１１、θ１２、θ１３について説明する。なお、本実施形態の前面枠７４、右面枠７５、左面枠７６の枠部分（いわゆるベゼル部）は、例えば２〜３センチ程度の幅狭である。よって、図１８および図１９では、理解を容易にするために、前面枠７４、右面枠７５、左面枠７６の各全面を、各ディスプレイ６１、６２、６３の表示範囲とみなして図示している（後述の図２１、図２３、図２５、図２７、図２９も同様）。また、図１８および図１９に示す例では、各ディスプレイ６１、６２、６３の視野角を妨げる部材が設けられていない。この場合、各ディスプレイ６１、６２、６３の視野角が、可視角度θ１１、θ１２、θ１３にそれぞれ対応する。
【００８６】
人の正面顔の二次元画像は、どの角度から見ても閲覧者自身を向いているように見えることが知られている。このような認知的な現象を、モナリザ効果という。そのため、正面ディスプレイ６１に表示される正面顔を目視する全ての会議側ユーザが、遠隔側ユーザに注視されていると感じる。そのため、正面ディスプレイ６１を目視可能な会議側ユーザは、遠隔側ユーザによって注視されているか否かを誤認するおそれがある。よって、会議側ユーザが注視可能な範囲（つまり、カメラ６７の撮影範囲）は、正面ディスプレイ６１の目視可能範囲（つまり、可視角度θ１１）と一致することが好適である。
【００８７】
さらに、可視角度θ１１と可視角度θ１２との重複角度θ３が所定の上限値よりも大きい場合、重複角度θ３の範囲内に存在するユーザは、水平方向に並ぶ２つの表示画像（具体的には、正面ディスプレイ６１に表示される正面顔画像、および右面ディスプレイ６２に表示される右顔画像）を同時に目視できるおそれがある。一方、重複角度θ３が所定の下限値よりも小さい場合、重複角度θ３の範囲内に存在するユーザは、これらの画像をいずれも目視できないおそれがある。
【００８８】
そこで、重複角度θ３が所定の上限値以下、且つ所定の下限値以上となるように、可視角度θ１１、θ１２の大きさをそれぞれ設定する。これにより、重複角度θ３の範囲内に存在する会議側ユーザに、正面顔画像および右顔画像のいずれか一方のみを目視させることができる。このとき、正面顔画像を目視している会議側ユーザは、遠隔側ユーザから目視されていることを認識できる。一方、右顔画像を目視している会議側ユーザは、遠隔側ユーザから目視されていないことを認識できる。
【００８９】
同様に、可視角度θ１１と可視角度θ１３との重複角度θ４が所定の上限値よりも大きい場合、重複角度θ４の範囲内に存在するユーザは、左右方向に並ぶ２つの画像（具体的には、正面ディスプレイ６１に表示される正面顔画像、および左面ディスプレイ６３に表示される左顔画像）を同時に目視できるおそれがある。一方、重複角度θ４が所定の下限値よりも小さい場合、重複角度θ４の範囲内に存在するユーザは、これらの画像をいずれも目視できないおそれがある。
【００９０】
そこで、重複角度θ４が所定の上限値以下、且つ所定の下限値以上となるように、可視角度θ１１、θ１３の大きさをそれぞれ設定する。これにより、重複角度θ４の範囲内に存在する会議側ユーザに、正面顔画像および左顔画像のいずれか一方のみを目視させることができる。このとき、正面顔画像を目視している会議側ユーザは、遠隔側ユーザから目視されていることを認識できる。一方、左顔画像を目視している会議側ユーザは、遠隔側ユーザから目視されていないことを認識できる。
【００９１】
重複角度θ３、θ４の上限値および下限値には個人差があるものの、開発時のテストおよび発明者の経験などによって、重複角度θ３、θ４は左右３０°〜５０°の範囲にあることが好適であることが明らかとなった。よって、重複角度θ３、θ４が左右３０°〜５０°の範囲に収まるように、筐体角度θ１、θ２（本実施形態では、９０°）を考慮したうえで、可視角度θ１１、θ１２、θ１３が先述の視野角調整フィルタ２１、２２、２３によって調整されている。
【００９２】
具体的に、図１８の例では、視野角調整フィルタ２１、２２、２３によって、各ディスプレイ６１、６２、６３の視野角（つまり、可視角度θ１１、θ１２、θ１３）がいずれも上下左右１２０°に設定されている。本実施形態では、筐体角度θ１、θ２はいずれも９０°であるから、重複角度θ３、θ４はいずれも左右３０°である。このように、共通の視野角調整フィルタおよびディスプレイを用いることで、可視角度θ１１、θ１２、θ１３および重複角度θ３、θ４を容易に最適化できる。
【００９３】
図１９の例では、視野角調整フィルタ２１によって、正面ディスプレイ６１の視野角（つまり、可視角度θ１１）が上下左右９０°に設定されている。一方、視野角調整フィルタ２２、２３によって、右面ディスプレイ６２および左面ディスプレイ６３の各視野角（つまり、可視角度θ１２、θ１３）が上下左右１５０°に設定されている。本実施形態では、筐体角度θ１、θ２はいずれも９０°であるから、重複角度θ３、θ４はいずれも左右３０°である。このように、可視角度θ１１を可視角度θ１２、θ１３よりも小さくすることで、会議側ユーザが遠隔側ユーザの正面顔画像を目視可能な範囲を、正面ディスプレイ６１の前方位置のみに限定することができる。
【００９４】
以上説明したように、本実施形態によれば、遠隔側端末３と会議用端末５との双方向通信によってテレビ会議が実行される。遠隔側端末３では、前側カメラ４６、右側カメラ４７、左側カメラ４８によってそれぞれ撮影された映像データが、ネットワーク２を介して会議用端末５に送信される。会議用端末５では、前側カメラ４６、右側カメラ４７、左側カメラ４８の映像データが、それぞれ各ディスプレイ６１〜６３に表示される。これにより、正面ディスプレイ６１と正対していない会議側ユーザも、右面ディスプレイ６２または左面ディスプレイ６３に表示される映像データを目視して、遠隔側ユーザの表情などを把握することができるので、テレビ会議の臨場感を向上させることができる。
【００９５】
また、正面ディスプレイ６１に遠隔側ユーザの正面顔が表示され、右面ディスプレイ６２および左面ディスプレイ６３にそれぞれ遠隔側ユーザの右横顔および左横顔が表示される。つまり、会議用端末５では、遠隔側ユーザを三方から撮影した映像データが、その撮影方向に対応して三面表示される。このような三面表示によって筐体上部７１を遠隔側ユーザの頭部に見せかけることで、会議用端末５を擬人化することができる。その結果、遠隔側ユーザが会議拠点にあたかも存在しているかのような印象を与えて、テレビ会議での存在感を高めることができる。
【００９６】
また、遠隔側端末３では、会議用端末５に対する操作指示を受け付けた場合、操作指示に応じた操作信号が会議用端末５に送信される。会議用端末５では、遠隔側端末３から受信した操作信号に応じて、筐体上部７１の垂直方向および水平方向の傾きが変更される。これに伴って、筐体上部７１に設けられている各ディスプレイ６１〜６３の向きも変更される。したがって、遠隔側ユーザは、各ディスプレイ６１〜６３の向き（つまり、映像データの表示方向）を遠隔操作で変更できるため、従来よりも低コストで臨場感の高い遠隔会議を実現できる。
【００９７】
また、筐体上部７１の正面には、遠隔側ユーザの正面顔が表示される正面ディスプレイ６１とともに、筐体上部７１の前方を撮影するカメラ６７が設けられている。そのため、遠隔側ユーザは、正面ディスプレイ６１の向きを変更することで、カメラ６７の撮影方向を遠隔操作することができる。ひいては、遠隔側ユーザは会議拠点の様子を正確に把握でき、実際に会議拠点に存在しているような臨場感が得られる。
【００９８】
また、カメラ６７の撮影方向は、遠隔側ユーザの正面顔が表示される方向（つまり、筐体上部７１の前方）と略一致する。言い換えると、カメラ６７がパン調整およびチルト調整された場合でも、遠隔側ユーザが注視している方向と、遠隔側ユーザの正面顔が表示される方向とが略一致する。そのため、会議側ユーザは、遠隔側ユーザの正面顔が表示されている方向（つまり、正面ディスプレイ６１の向き）に基づいて、遠隔側ユーザが注視している方向を把握できる。例えば、会議側ユーザは、遠隔側ユーザの正面顔を目視している場合には、遠隔側ユーザによって注視されていないことを認識できる。また、遠隔側ユーザの右横顔または左横顔を目視している場合には、遠隔側ユーザによって注視されていないことを認識できる。ひいては、ユーザ間の意思疎通が円滑となり、テレビ会議の臨場感を高めることができる。
【００９９】
さらに、重複角度θ３、θ４が所定値以下であるため、会議側ユーザは遠隔側ユーザの正面顔画像および横顔画像の両方を同時に目視することが困難となる。言い換えると、会議側ユーザが明確に目視できるのは、遠隔側ユーザの正面顔画像および横顔画像のいずれか一方である。そのため、遠隔側ユーザの正面顔画像を目視している会議側ユーザは、遠隔側ユーザに目視されていることを認識できる。一方、遠隔側ユーザの横顔画像を目視している会議側ユーザは、遠隔側ユーザに目視されていないことを認識できる。これにより、ユーザ間の意思疎通がさらに円滑となり、テレビ会議の臨場感をより一層高めることができる。
【０１００】
図２０および図２１を参照して、第２実施形態に係る会議用端末５０１について説明する。会議用端末５０１は、第１実施形態と同様にテレビ会議システム１に用いられる。以下では、会議用端末５０１について、会議用端末５と同一構成には同一符号を付して説明を省略し、会議用端末５と異なる点のみを説明する。
【０１０１】
会議用端末５０１は、会議用端末５（図３等参照）と基本的に同じ構造を有する。ただし、会議用端末５０１の筐体上部１７１は、筐体上部７１（図３等参照）とは物理的構造が異なる。筐体上部１７１は、筐体上部７１（図３等参照）と同様の縦長直方体状であるが、２つの衝立１１１、１１２を備える。衝立１１１は、前面枠７４と右面枠７５との連設部分から延びる縦長長方形状の板状部材であり、本実施形態では前面枠７４および右面枠７５に対して１３５°をなす。衝立１１２は、前面枠７４と左面枠７６との連設部分から縦長長方形状の板状部材であり、本実施形態では前面枠７４および左面枠７６に対して１３５°をなす。
【０１０２】
会議用端末５０１には、視野角調整フィルタ２１、２２、２３（図６等参照）が設けられていない。そのため、各ディスプレイ６１、６２、６３の視野角は、各々に固有の視野角（本実施形態では、上下左右１５０°）に設定されている。ただし、正面ディスプレイ６１および右面ディスプレイ６２の各視野角の一部は、衝立１１１によって妨げられる。正面ディスプレイ６１および左面ディスプレイ６３の各視野角の一部は、衝立１１２によって妨げられる。その結果、可視角度θ１１、θ１２、θ１３は、連続する左右角度をなすように９０、１０５°、１０５°にそれぞれ調整される。
【０１０３】
したがって、会議側ユーザは、正面ディスプレイ６１に表示される正面顔画像と、右面ディスプレイ６２に表示される右顔画像とを同時に目視することはできない。また、会議側ユーザは、正面ディスプレイ６１に表示される正面顔画像と、左面ディスプレイ６３に表示される左顔画像とを同時に目視することはできない。言い換えると、会議側ユーザが明確に目視できるのは、遠隔側ユーザの正面顔画像および横顔画像のいずれか一方である。そのため、第１実施形態と同様に、ユーザ間の意思疎通を円滑して、テレビ会議の臨場感を高めることができる。
【０１０４】
図２２〜図２５を参照して、第３実施形態に係る会議用端末５０２、５０３について説明する。会議用端末５０２、５０３は、いずれも、第１実施形態と同様にテレビ会議システム１に用いられる。以下では、会議用端末５０２、５０３について、会議用端末５と同一構成には同一符号を付して説明を省略し、会議用端末５と異なる点のみを説明する。
【０１０５】
図２２および図２３に示すように、会議用端末５０２は、会議用端末５（図３等参照）と基本的に同じ構造を有する。ただし、会議用端末５０２の筐体上部２７１は、筐体上部７１（図３等参照）とは物理的構造が異なる。筐体上部２７１は、上面パネル７８および下面パネル７９が台形をなす縦長箱状である。右面枠７５および左面枠７６は、前面枠７４とほぼ同形であるが、前面枠７４に対して鋭角をなすように傾斜している。後面パネル７７は、前面枠７４に対して平行をなし、且つ前面枠７４よりも横幅が大きい。本実施形態では、筐体角度θ１、θ２は、いずれも１００°である。
【０１０６】
会議用端末５０２には、視野角調整フィルタ２１、２２、２３（図６等参照）が設けられていない。そのため、各ディスプレイ６１、６２、６３の視野角は、各々に固有の視野角（本実施形態では、上下左右１２０°）に設定されている。各ディスプレイ６１、６２、６３の視野角を妨げる部材は設けられていないため、各可視角度θ１１、θ１２、θ１３も上下左右１２０°である。さらに、筐体角度θ１、θ２はいずれも１００°であるから、重複角度θ３、θ４はいずれも左右５０°である。
【０１０７】
図２４および図２５に示すように、会議用端末５０３は、会議用端末５（図３等参照）と基本的に同じ構造を有する。ただし、会議用端末５０の筐体上部３７１は、筐体上部７１（図３等参照）とは物理的構造が異なる。筐体上部３７１は、上面パネル７８および下面パネル７９が台形をなす縦長箱状である。右面枠７５および左面枠７６は前面枠７４とほぼ同形であるが、後面パネル７７は前面枠７４よりも横幅が小さい。本実施形態では、筐体角度θ１、θ２は、いずれも８０°である。
【０１０８】
会議用端末５０３には、視野角調整フィルタ２１、２２、２３（図６等参照）が設けられていない。そのため、各ディスプレイ６１、６２、６３の視野角は、各々に固有の視野角（本実施形態では、上下左右１５０°）に設定されている。各ディスプレイ６１、６２、６３の視野角を妨げる部材は設けられていないため、各可視角度θ１１、θ１２、θ１３も上下左右１５０°である。さらに、筐体角度θ１、θ２はいずれも８０°であるから、重複角度θ３、θ４はいずれも左右５０°である。
【０１０９】
このように、各ディスプレイ６１、６２、６３の向き（言い換えると、筐体角度θ１、θ２）を変更することで、各可視角度θ１１、θ１２、θ１３を最適化することができる。その結果、会議側ユーザが明確に目視できるのは、遠隔側ユーザの正面顔画像および横顔画像のいずれか一方となる。そのため、第１実施形態と同様に、ユーザ間の意思疎通を円滑して、テレビ会議の臨場感を高めることができる。
【０１１０】
図２６〜図２９を参照して、第４実施形態に係る会議用端末５０４、５０５について説明する。会議用端末５０４、５０５は、いずれも、第１実施形態と同様にテレビ会議システム１に用いられる。以下では、会議用端末５０４、５０５について、会議用端末５と同一構成には同一符号を付して説明を省略し、会議用端末５と異なる点のみを説明する。
【０１１１】
図２６および図２７に示すように、会議用端末５０４は、会議用端末５（図３等参照）と基本的に同じ構造を有する。ただし、会議用端末５０４の筐体上部４７１は、筐体上部７１（図３等参照）とは物理的構造が異なる。筐体上部４７１は、上面パネル７８および下面パネル７９がＴ字形をなす縦長箱状である。右面枠７５および左面枠７６は、前面枠７４とほぼ同形であるが、前面枠７４の背面側に配置され、且つ前面枠７４に対して直交に延びている。後面パネル７７は、前面枠７４に対して平行をなし、且つ前面枠７４よりも横幅が小さい。
【０１１２】
会議用端末５０４には、視野角調整フィルタ２１、２２、２３（図６等参照）が設けられていない。そのため、各ディスプレイ６１、６２、６３の視野角は、各々に固有の視野角（本実施形態では、上下左右１２０°）に設定されている。ただし、右面ディスプレイ６２の視野角の一部は、前面枠７４の右枠部２０１によって妨げられる。左面ディスプレイ６３の視野角の一部は、前面枠７４の左枠部２０２によって妨げられる。その結果、可視角度θ１１、θ１２、θ１３は、連続する左右角度をなすように９０、１２０°、９０°にそれぞれ調整される。
【０１１３】
図２８および図２９に示すように、会議用端末５０５は、会議用端末５（図３等参照）と基本的に同じ構造を有する。ただし、会議用端末５０５の筐体上部５７１は、筐体上部７１（図３等参照）とは物理的構造が異なる。筐体上部５７１は、上面パネル７８および下面パネル７９が凹字形をなす縦長箱状である。右面枠７５および左面枠７６は、前面枠７４とほぼ同形であるが、前面枠７４の左右両側に配置され、且つ前面枠７４に対して直交に延びている。後面パネル７７は、前面枠７４に対して平行をなし、且つ前面枠７４よりも横幅が大きい。
【０１１４】
会議用端末５０５には、視野角調整フィルタ２１、２２、２３（図６等参照）が設けられていない。そのため、各ディスプレイ６１、６２、６３の視野角は、各々に固有の視野角（本実施形態では、上下左右１２０°）に設定されている。ただし、正面ディスプレイ６１の視野角の一部は、右面枠７５の右枠部２０３および左面枠７６の左枠部２０４によって妨げられる。その結果、可視角度θ１１、θ１２、θ１３は、連続する左右角度をなすように１２０°、６０°、１２０°にそれぞれ調整される。
【０１１５】
このように、各ディスプレイ６１、６２、６３の配置態様を変更することで、各可視角度θ１１、θ１２、θ１３を最適化することができる。その結果、会議側ユーザが明確に目視できるのは、遠隔側ユーザの正面顔画像および横顔画像のいずれか一方となる。そのため、第１実施形態と同様に、ユーザ間の意思疎通を円滑して、テレビ会議の臨場感を高めることができる。
【０１１６】
なお、本発明は上記実施形態に限定されるものではなく、発明の要旨を変更しない範囲での変更が可能である。例えば、筐体角度θ１、θ２、重複角度θ３、θ４、可視角度θ１１、θ１２、θ１３などは、上記実施形態に限定されず、ユーザが自由に設定することができる。
【０１１７】
上記実施形態において、前側カメラ４６が、本発明の「第一カメラ」に相当する。右側カメラ４７および左側カメラ４８が、本発明の「第二カメラ」に相当する。映像送信割込み処理（図９）を実行するＣＰＵ３０が、本発明の「画像送信手段」に相当する。正面ディスプレイ６１が、本発明の「第一ディスプレイ」に相当する。右面ディスプレイ６２および左面ディスプレイ６３が、本発明の「第二ディスプレイ」に相当する。映像受信割込み処理（図１６）を実行するＣＰＵ５０が、本発明の「画像受信手段」および「表示制御手段」に相当する。筐体上部７１が、本発明の「ディスプレイ支持部」に相当する。カメラ６７が、本発明の「会議撮影カメラ」に相当する。映像送信割込み処理（図１４）を実行するＣＰＵ５０が、本発明の「会議画像送信手段」に相当する。ディスプレイ４３が、本発明の「遠隔側ディスプレイ」に相当する。映像受信割込み処理（図１１）を実行するＣＰＵ３０が、本発明の「会議画像受信手段」および「遠隔側表示制御手段」に相当する。視野角調整フィルタ２１が、本発明の「第一視野角変更部材」に相当する。視野角調整フィルタ２２、２３が、本発明の「第二視野角変更部材」に相当する。衝立１１１、１１２が、本発明の「区画部材」に相当する。
【符号の説明】
【０１１８】
１    テレビ会議システム
２    ネットワーク
３    遠隔側端末
５    会議用端末
２１    視野角調整フィルタ
２２    視野角調整フィルタ
２３    視野角調整フィルタ
３０    ＣＰＵ
４３    ディスプレイ
４４    マイク
４５    スピーカ
４６    前側カメラ
４７    右側カメラ
４８    左側カメラ
５０    ＣＰＵ
６１    正面ディスプレイ
６２    右面ディスプレイ
６３    左面ディスプレイ
６４    右側マイク
６５    左側マイク
６６    スピーカ
６７    カメラ
８０    パンモータ
９０    チルトモータ
１００    駆動機構
１１１    衝立
１１２    衝立
５０１    会議用端末
５０２    会議用端末
５０３    会議用端末
５０４    会議用端末
５０５    会議用端末
【図１】
2012142725.tif 000003
【図２】
2012142725.tif 000004
【図３】
2012142725.tif 000005
【図４】
2012142725.tif 000006
【図５】
2012142725.tif 000007
【図６】
2012142725.tif 000008
【図７】
2012142725.tif 000009
【図８】
2012142725.tif 000010
【図９】
2012142725.tif 000011
【図１０】
2012142725.tif 000012
【図１１】
2012142725.tif 000013
【図１２】
2012142725.tif 000014
【図１３】
2012142725.tif 000015
【図１４】
2012142725.tif 000016
【図１５】
2012142725.tif 000017
【図１６】
2012142725.tif 000018
【図１７】
2012142725.tif 000019
【図１８】
2012142725.tif 000020
【図１９】
2012142725.tif 000021
【図２０】
2012142725.tif 000022
【図２１】
2012142725.tif 000023
【図２２】
2012142725.tif 000024
【図２３】
2012142725.tif 000025
【図２４】
2012142725.tif 000026
【図２５】
2012142725.tif 000027
【図２６】
2012142725.tif 000028
【図２７】
2012142725.tif 000029
【図２８】
2012142725.tif 000030
【図２９】
2012142725.tif 000031